(57)【要約】【課題】  ユーザに煩雑な手間を掛けさせることなく、ユーザの求めに応じて、被記録シートをメモ用紙として迅速に排出できる画像記録装置を提供する。【解決手段】画像記録装置は、給送トレイから排出トレイまで被記録シートが通過する経路を備える筐体と、経路に沿って被記録シートを搬送する搬送部と、搬送される被記録シートに画像を記録する記録部と、搬送部及び記録部の動作を制御する制御部と、を備える。制御部は、記録部による記録動作を伴うことなく、給送トレイから排出トレイまで被記録シートを排出する単独のジョブである排紙ジョブの実行要求を受け付ける排紙要求受付処理と、該排紙ジョブの実行要求を受け付けた場合に、被記録シートを、給送トレイから記録部による記録動作を伴わずに搬送して排出トレイへ排出するシート排出処理と、を実行する。【選択図】図５
2016193531.tif 000002
【特許請求の範囲】
【請求項１】
給送トレイから排出トレイまで被記録シートが通過する経路を備える筐体と、
前記経路に沿って被記録シートを搬送する搬送部と、
搬送される被記録シートに画像を記録する記録部と、
前記搬送部及び前記記録部の動作を制御する制御部と、を備え、
前記制御部は、
前記記録部による記録動作を伴うことなく、前記給送トレイから前記排出トレイまで被記録シートを排出する単独のジョブである排紙ジョブの実行要求を受け付ける排紙要求受付処理と、
該排紙ジョブの実行要求を受け付けた場合に、被記録シートを、前記給送トレイから前記記録部による記録動作を伴わずに搬送して前記排出トレイへ排出するシート排出処理と、
を実行する、画像記録装置。
【請求項２】
前記筐体には、ユーザによる操作を受け付けて前記制御部へ前記排紙ジョブの実行要求を入力する操作部が設けられている、請求項１に記載の画像記録装置。
【請求項３】
前記操作部は、ユーザの単一の操作によって前記制御部へ前記排紙ジョブの実行要求を入力可能に構成されている、請求項２に記載の画像記録装置。
【請求項４】
前記制御部は、前記シート排出処理時の被記録シートの搬送速度を、前記記録部により被記録シートに画像を記録する印刷ジョブ時の被記録シートの搬送速度よりも速くなるよう、前記搬送部を制御する、請求項１〜３のいずれかに記載の画像記録装置。
【請求項５】
前記給送トレイから被記録シートを給送する給送部を更に備え、
前記制御部は、前記シート排出処理時の被記録シートの給送速度を、前記記録部により被記録シートに画像を記録する印刷ジョブ時の給送速度よりも速くなるよう、前記給送部を制御する、請求項１〜４のいずれかに記載の画像記録装置。
【請求項６】
前記筐体が有する前記経路は、前記記録部により被記録シートに画像を記録する印刷ジョブの実行時に被記録シートが通過する印刷経路が、前記排紙ジョブの実行時に被記録シートが通過する排紙経路を兼ねている、請求項１〜５のいずれかに記載の画像記録装置。
【請求項７】
前記筐体は前記経路として、前記記録部により被記録シートに画像を記録する印刷ジョブの実行時に被記録シートが通過する印刷経路と、前記排紙ジョブの実行時に被記録シートが通過し、前記印刷経路とは少なくとも一部が別経路に構成された排紙経路とを備える、請求項１〜５のいずれかに記載の画像記録装置。
【請求項８】
給送トレイから排出トレイまで被記録シートが通過する経路を備える筐体と、
前記経路に沿って被記録シートを搬送する搬送部と、
搬送される被記録シートに画像を記録する記録部と、
前記搬送部及び前記記録部の動作を制御する制御部と、を備え、
前記筐体には、前記記録部による記録動作を伴うことなく前記給送トレイから前記排出トレイまで被記録シートを排出する単独のジョブの実行要求を、ユーザの単一の操作によって前記制御部に入力させる操作部が設けられている、画像記録装置。
【発明の詳細な説明】
【技術分野】
【０００１】
本発明は、被記録シートに画像を記録する画像記録装置に関する。
【背景技術】
【０００２】
画像記録装置は、例えば特許文献１に開示されるように、給送トレイから被記録シートを繰り出して給送する給送ローラと、被記録シートに対して画像記録動作を行う記録部と、被記録シートを記録部に搬送する搬送ローラと、記録部から搬送された被記録シートを受ける排出トレイと、給送ローラ、記録部及び搬送ローラを制御する制御部とを有する。制御部は、例えば装置の筐体に設けた操作部のキーをユーザが押下することにより入力指示を受け、給送ローラで給送したシートに対して記録部に画像記録を行わせ、シートを排出トレイに排出させる。なお、入力指示は、有線／無線を問わず、この画像記録装置と接続された他の入力装置から入力されてもよいことは言うまでも無い。
【先行技術文献】
【特許文献】
【０００３】
【特許文献１】特開２０１５−４７７５６号公報
【発明の概要】
【発明が解決しようとする課題】
【０００４】
ところで、ユーザが画像記録装置の給送トレイに支持された被記録シートをメモ用紙として使いたいと考えた場合、例えば、画像記録装置から手でトレイを引き出して被記録シートを取り出し、再びトレイを元に戻すための操作が必要であり、煩雑となる。
【０００５】
そこで本発明は、ユーザに煩雑な手間を掛けさせることなく、ユーザの求めに応じて、被記録シートをメモ用紙として迅速に排出できる画像記録装置の提供を目的とする。
【課題を解決するための手段】
【０００６】
本発明に係る画像記録装置は、給送トレイから排出トレイまで被記録シートが通過する経路を備える筐体と、前記経路に沿って被記録シートを搬送する搬送部と、搬送される被記録シートに画像を記録する記録部と、前記搬送部及び前記記録部の動作を制御する制御部と、を備え、前記制御部は、前記記録部による記録動作を伴うことなく、前記給送トレイから前記排出トレイまで被記録シートを排出する単独のジョブである排紙ジョブの実行要求を受け付ける排紙要求受付処理と、該排紙ジョブの実行要求を受け付けた場合に、被記録シートを、前記給送トレイから前記記録部による記録動作を伴わずに搬送して前記排出トレイへ排出するシート排出処理と、を実行する。
【０００７】
このような構成によれば、ユーザが画像記録装置から手で給送トレイを引き出して被記録シートを取り出し、再び給送トレイを元に戻す手間を掛けなくても、記録部による記録動作を伴うことなく、給送トレイから排出トレイまで被記録シートを排出する単独のジョブである排紙ジョブの実行要求を受け付ける排紙要求受付処理を実行することにより、被記録シートを、給送トレイから記録部による記録動作を伴わずに搬送して排出トレイへ排出できる。
【発明の効果】
【０００８】
本発明によれば、ユーザに煩雑な手間を掛けさせることなく、ユーザの求めに応じて、被記録シートをメモ用紙として迅速に排出できる画像記録装置を提供できる。
【図面の簡単な説明】
【０００９】
【図１】本発明の実施形態に係る画像記録装置の概略構成図である。
【図２】操作部の正面図である。
【図３】画像記録装置の機能ブロック図である。
【図４】メモ用紙排出ジョブの基本的なフローチャートである。
【図５】メモ用紙排出ジョブの具体的なフローチャートである。
【発明を実施するための形態】
【００１０】
本発明の実施形態について、図面を参照しながら説明する。本書で言う「搬送方向」とは、画像記録装置１内の被記録シートの搬送方向を指し、「上流側」と「下流側」とは、搬送方向における「上流側」と「下流側」とを指すものとする。
【００１１】
［画像記録装置］
図１は、本発明の実施形態に係る画像記録装置１の概略構成図である。画像記録装置１は、被記録シート（以下、シートと称す）Ｐを支持する給送トレイ１０と、給送トレイ１０の上方に配置されてシートＰに画像を記録する記録部２と、給送トレイ１０及び記録部２を収容する筐体３と、記録部２を制御する制御部６０（図３参照）とを備える。記録部２は、左右方向（図１において紙面に垂直な方向）に長寸を成す板状のプラテン１１と、ノズル孔からインクを吐出する記録ヘッド１３等を搭載するキャリッジ１２とを有する。キャリッジ１２は、プラテン１１の更に上方に設けられている。プラテン１１よりもシートＰの搬送方向の下流側には、記録部２で画像記録されて排出されたシートＰを受ける排出トレイ１４が設けられている。
【００１２】
筐体３は、給送トレイ１０から排出トレイ１４までシートＰが通過する経路２０を内部に備える。経路２０は、湾曲パス２１、ストレートパス２２、及びエンドパス２３を有する。湾曲パス２１は、給送トレイ１０から上方へ向かい、更に前方へ向かうように湾曲しており、プラテン１１の後方近傍まで至っている。ストレートパス２２は、湾曲パス２１の終点からプラテン１１のすぐ上を前方へ延び、プラテン１１の前方近傍まで至っている。エンドパス２３は、ストレートパス２２の終点から排出トレイ１４まで至っている。従って、経路２０を通るシートＰは、給送トレイ１０から排出トレイ１４まで、途中で記録部２とプラテン１１との間を通って移送される。
【００１３】
画像記録装置１は、経路２０に沿ってシートＰを移送させるために、給送ローラ（給送部）３０、第１搬送部３３及び第２搬送部（排出部）３６等を備える。給送ローラ３０は、給送トレイ１０の直上に設けられ、給送トレイ１０内のシートＰを経路２０へ給送する。第１搬送部３３は、湾曲パス２１の下流端近傍に配置され、搬送ローラ３１及びピンチローラ３２を有する。ピンチローラ３２は、給送ローラ３０によって給送されたシートＰを、搬送ローラ３１と共に上下から挟持して搬送する。第２搬送部３６は、ストレートパス２２の下流端近傍に配置され、排出ローラ３４及び拍車ローラ３５を有する。拍車ローラ３５は、第１搬送部３３によってストレートパス２２を搬送されるシートＰを、排出ローラ３４と共に上下から挟持して搬送する。
【００１４】
画像記録装置１には、各種のセンサが設けられている。経路２０における第１搬送部３３の直前（上流側近傍）の位置には、レジスト用のセンサ４０が設けられている。このセンサ４０は、制御部６０のＣＰＵ６１（図３参照）がシートＰの先端位置及び後端位置を検出するためのセンサであって、光学式センサ等で構成される。搬送ローラ３１の回転軸の一端部には、ロータリーエンコーダ４１が設けられ、ロータリーエンコーダ４１の近傍には、ＣＰＵ６１が搬送ローラ３１の回転量や回転速度を検出するためのロータリーエンコーダ用のセンサ４２が設けられている。なお、搬送ローラ３１の回転中心と、ロータリーエンコーダ４１の回転中心とは、同一になるように構成されている。キャリッジ１２は、その後部下面にメディア用のセンサ４３を搭載している。このセンサ４３は、ＣＰＵ６１が経路２０を搬送されるシートＰの幅寸法（搬送方向と直交し、且つ図１において紙面に垂直な幅方向の寸法）やシートＰの幅方向両端位置（左右端位置）等を検出するためのセンサであって、光学式センサ等で構成される。更に、キャリッジ１２は、その前部下面に、リニアエンコーダ用のセンサ４５を搭載している。このセンサ４５は、ＣＰＵ６１がキャリッジ１２の走査方向や位置や速度を検出するためのセンサであって、光学式センサ等で構成される。このセンサ４５は、図示しないリニアエンコーダ（ストリップ）の近傍に設けられている。
【００１５】
図２は、操作部５の正面図である。筐体３の上部のユーザが操作し易い位置には、図２に示す操作部５が設けられている。操作部５には、電源キー５０、リセットキー５１、テンキー５２、及びタッチパネル式のパネル部５３が設けられている。パネル部５３は、ユーザからの各種実行要求を受け付けるための受付部であり、かつユーザに情報を表示するための表示部でもある。受付部としてのパネル部５３には、印刷キー５４及びメモ用紙排出キー５５等の各種キーが設けられている。印刷キー５４は、ユーザから印刷ジョブの実行要求を受け付ける。メモ用紙排出キー５５は、ユーザからメモ用紙排出ジョブの実行要求を受け付ける。このメモ用紙排出ジョブとは、給送トレイ１０内のシートＰをメモ用紙として、記録部２による記録動作を行わずに搬送して排出トレイ１４へ排出する単独のジョブ（以下、「排紙ジョブ」という。）である。すなわち画像記録装置１は、ユーザがメモ用紙排出キー５５を押下するだけの単一の操作で、画像記録装置１にメモ用紙を排出する排紙ジョブを実行要求できるように構成されている。なお筐体３には、パーソナルコンピュータ（ＰＣ）等の他の通信装置からの各種ジョブの実行要求を画像記録装置１が有線または無線の通信で受け付けるための不図示の外部入力部が設けられている。
【００１６】
図３は、画像記録装置１の機能ブロック図である。制御部６０は、第１基板及び第２基板を有する。第１基板には、ＣＰＵ６１と、記憶部（ＲＯＭ６２、ＲＡＭ６３、及びＥＥＰＲＯＭ６４）とが実装され、第２基板には、ＡＳＩＣ６５が実装されている。ＣＰＵ６１の個数は単一または複数のいずれでもよい。ＲＯＭ６２には、ＣＰＵ６１が印刷ジョブを実行するための印刷制御プログラムと、ＣＰＵ６１が排紙ジョブを実行するための排出制御プログラムとが格納されている。ＥＥＰＲＯＭ６４には、ユーザが入力した各種の初期設定の情報が格納されている。ＡＳＩＣ６５には、２つのモータドライバＩＣ６６、６７と、ヘッドドライバＩＣ６８とが接続されている。
【００１７】
ＣＰＵ６１は、印刷キー５４及び前記外部入力部を介して、ユーザ及び他の通信装置から印刷ジョブの実行要求を受け付ける。ＣＰＵ６１は、印刷ジョブの実行要求を受け付けると、印刷制御プログラムに基づいて、印刷ジョブの実行指令をＡＳＩＣ６５へ出力する。またＣＰＵ６１は、メモ用紙排出キー５５及び前記外部入力部を介して、ユーザ及び他の通信装置から排紙ジョブの実行要求を受け付ける。ＣＰＵ６１は、排紙ジョブの実行要求を受け付けると、排出制御プログラムに基づいて、排紙ジョブの実行指令をＡＳＩＣ６５へ出力する。ＡＳＩＣ６５は、これらの実行指令に基づいて各ドライバＩＣ６６〜６８のいずれかを駆動する。
【００１８】
モータドライバＩＣ６６は、搬送モータ７０を駆動すると共に、所定の駆動機構により搬送モータ７０の動力の伝達経路を切り替えることで、給送ローラ３０、搬送ローラ３１、及び排出ローラ３４のいずれかに回転動力を付与する。例えば、画像記録装置１は、ＣＰＵ６１、モータドライバＩＣ６６、及び前記駆動機構を有するローラ駆動機構を備える。該ローラ駆動機構は、給送ローラ３０及び搬送ローラ３１へ可変速に搬送モータ７０の回転動力を付与するとともに、搬送ローラ３１の逆転に連動して給送ローラ３０を正転させ、かつ搬送ローラ３１の正転に連動して給送ローラ３０の動力伝達を切断する。
【００１９】
なお、各ローラ３０、３１の「正転」とは、シートＰを下流側（給送トレイ１０から排出トレイ１４への向き）へ移送させる回転を意味し、「逆転」とは、その反対方向の回転を意味する。また、上記のようなローラ駆動機構に替えて複数の搬送モータ７０を搭載することにより、モータドライバＩＣ６６が各搬送モータ７０を駆動して、給送ローラ３０、搬送ローラ３１、及び排出ローラ３４を個別に動作させてもよい。
【００２０】
モータドライバＩＣ６７は、キャリッジモータ７１を駆動してキャリッジ１２を主走査方向に往復移動させる。ヘッドドライバＩＣ６８は、記録ヘッド１３を駆動してインクを吐出させる。
【００２１】
このように給送ローラ３０、搬送ローラ３１、及び排出ローラ３４の各動作は、ＣＰＵ６１がモータドライバＩＣ６６を介して搬送モータ７０を駆動することで実現される。またキャリッジ１２の動作は、ＣＰＵ６１がモータドライバＩＣ６７を介してキャリッジモータ７１を駆動することで実現される。また記録ヘッド１３の動作は、ＣＰＵ６１がヘッドドライバＩＣ６８を駆動することで実現される。
【００２２】
制御部６０には、レジスト用のセンサ４０、ロータリーエンコーダ用のセンサ４２、メディア用のセンサ４３、及びリニアエンコーダ用のセンサ４５の各出力信号が入力される。ＣＰＵ６１は、入力されたこれらの各出力信号に基づき、ＡＳＩＣ６５を介して各ドライバＩＣ６６〜６８を駆動することにより、所定のタイミングで印刷ジョブまたは排紙ジョブを行う。
【００２３】
［印刷ジョブの動作］
以上の構成を有する画像記録装置１は、ユーザによって印刷キー５４が押下されると、印刷ジョブを実行する。すなわち、ユーザによる印刷キー５４の押下により、ＣＰＵ６１が印刷ジョブの実行要求を検出すると、ＣＰＵ６１は印刷制御プログラムに基づき、給送ローラ３０を正転させて給送トレイ１０内のシートＰを経路２０に給送する。シートＰが湾曲パス２１を搬送されて搬送方向先端部が搬送ローラ３１に到達すると、ＣＰＵ６１はシートＰのレジスト補正（搬送方向の修正）及び頭出しを行う。ＣＰＵ６１は、シートＰをストレートパス２２に搬送した後、記録ヘッド１３から吐出するインクによりシートＰに画像記録する。ＣＰＵ６１は、第２搬送部３６を駆動することにより、画像記録されたシートＰをエンドパス２３に搬送し、排出トレイ１４へ排出する。以上でＣＰＵ６１は、印刷ジョブを終える。
【００２４】
なお、画像記録装置１が有線または無線の通信によりＰＣと接続されている場合、ＣＰＵ６１は、操作部５と同様の入力項目について入力可能なＵＩ（ユーザーインターフェイス）をＰＣのモニタに表示する。オペレータが、ＵＩに表示された印刷キーに例えばワンクリック操作で入力すれば、ＣＰＵ６１は、印刷ジョブの実行要求がなされたことを検出できる。
【００２５】
［排紙ジョブの動作］
図４は、画像記録装置１が排紙ジョブを実行する際の基本的な動作を示すフローチャートである。画像記録装置１は排紙ジョブにおいて、ＣＰＵ６１が排出制御プログラムに基づき、排紙ジョブの実行要求を受け付ける排紙要求受付処理（ステップＳ１：以下、単にＳ１と称す。他のステップも同様）と、Ｓ１で要求を受け付けた場合に、給送トレイ１０内のシートＰを、給送トレイ１０から記録部２による記録動作を伴わずに搬送して排出トレイ１４へ排出するシート排出処理（Ｓ２）とを順に実行する。
【００２６】
すなわち、画像記録装置１はＳ１の排紙要求受付処理において、ユーザによるメモ用紙排出キー５５またはＵＩのメモ用紙排出キーの押下により、あるいは、前記外部入力部からの入力により、排紙ジョブの実行要求を受け付ける。そして、Ｓ２のシート排出処理では、モータドライバＩＣ６６を駆動して、給送トレイ１０に支持されたシートＰを、経路２０を通じて移送して排出トレイ１４へ排紙する。但し、この移送の間、当該シートＰへの記録動作は行わない。
【００２７】
これにより画像記録装置１は、ユーザの求めに応じてシートＰをメモ用紙として迅速に排出することができる。
【００２８】
図５は、画像記録装置１が排紙ジョブを実行する際のより具体的な動作を示すフローチャートである。電源キー５０が押下されて画像記録装置１が起動した後、ＣＰＵ６１は、操作部５のメモ用紙排出キー５５またはＵＩのメモ用紙排出キーがユーザに押下されたか否か、あるいは、前記外部入力部から入力がなされたか否かを判定することにより排紙要求受付処理を実行する（Ｓ１１）。本書で言う「排紙ジョブ」とは、前述したように、記録部２による記録動作を伴うことなく、給送トレイ１０から排出トレイ１４までシートＰを排出する単独のジョブである。また「記録動作」とは、印刷情報またはスキャン情報に基づいて、シートＰに実際に文字や画像を記録する記録部２の動作である。従って、「記録動作を伴わない」場合には、画像データの送受信がなく記録部２を動作させない場合と、０データからなる画像データの送受信を伴って記録部２を実質的に記録動作させない場合との両方が含まれる。
【００２９】
Ｓ１１で、操作部５のメモ用紙排出キー５５またはＵＩのメモ用紙排出キーが押下された、あるいは、前記外部入力部から入力がなされたとＣＰＵ６１が判定した場合（Ｓ１１：ＹＥＳ）、ＣＰＵ６１は給送ローラ３０を正転させ、給送トレイ１０内のシートＰを経路２０に給送する（Ｓ１２）。このときＣＰＵ６１は、シートＰの給送速度が、印刷ジョブ時において記録部２でシートＰに画像を記録する際の給送速度よりも速くなるように給送ローラ３０の駆動を制御する。一例として、本実施形態では、ＣＰＵ６１は給送ローラ３０を最速で駆動するように制御する。ここで言う「最速」とは、給送ローラ３０でシートＰを正常に給送可能な速度範囲における最高速度である。
【００３０】
次にＣＰＵ６１は、レジスト用のセンサ４０の出力信号がＯＮか否かを判定する（Ｓ１３）。Ｓ１３で、センサ４０の出力信号がＯＮではないとＣＰＵ６１が判定した場合（Ｓ１３：ＮＯ）、ＣＰＵ６１は、給送トレイ１０内にシートＰが残っていない、またはシートＰがスリップして搬送ローラ３１まで搬送されていないと判定して（Ｓ１４）、このシート排出処理を終了する。なお、Ｓ１４の後に、一例として「用紙がないか、スリップしています」とのメッセージをパネル部５３に表示した上でシート排出処理を終了することとしてもよい。
【００３１】
Ｓ１３で、センサ４０の出力信号がＯＮであるとＣＰＵ６１が判定した場合（Ｓ１３：ＹＥＳ）、ＣＰＵ６１は、搬送ローラ３１を逆転させたまま給送ローラ３０を更に所定量だけ正転させてレジスト補正を行う（Ｓ１５）。次にＣＰＵ６１は、搬送ローラ３１を最速で正転させてシートＰの先端部を搬送ローラ３１よりも若干下流側に位置させることで、シートＰの頭出しを行う（Ｓ１６）。なお、Ｓ１５及びＳ１６は、省略してもよい。
【００３２】
ＣＰＵ６１は、レジストセンサ４０の出力信号がＯＦＦになるまで、最速で搬送ローラ３１を正転させる（Ｓ１７）。ＣＰＵ６１は、センサ４０の出力信号がＯＦＦになったのを検出すると、最速で搬送ローラ３１及び排出ローラ３４を正転させてシートＰを排出し（Ｓ１８）、排紙ジョブを終了する。このＳ１７及びＳ１８で言う「最速」とは、搬送ローラ３１でシートＰを正常に搬送可能な速度範囲における最高速度である。なお、Ｓ１６〜１８では、シートＰの搬送を最速で行うと説明したが、必ずしも最速に限られない。Ｓ１６〜１８の各場面でのシートＰの搬送速度は、印刷ジョブ時の対応する各場面でのシートＰの搬送速度より速くてもよく、また、印刷ジョブ時のシートＰの搬送速度と同じでもよい。以上に説明したＳ１２、Ｓ１３、及びＳ１５〜１８を順に実行する処理がシート排出処理（図４のＳ２）に対応する。
【００３３】
以上に説明したように、画像記録装置１によれば、ユーザが手で給送トレイ１０を引き出してシートＰを取り出し、再び給送トレイ１０を元に戻す手間を掛けなくても、ユーザが操作部５のメモ用紙排出キー５５またはＵＩのメモ用紙排出キーを単一の操作で押下するだけでＣＰＵ６１が排紙ジョブを実行し、給送トレイ１０内のシートＰを、記録部２による記録動作を伴わずに搬送して排出トレイ１４へ排出する。よって、ユーザに煩雑な手間を掛けさせることなく、ユーザの求めに応じて、シートＰをメモ用紙として迅速に排出できる。排紙ジョブでは、印刷ジョブを実行する際のように、画像記録すべき画像データの送受信のプロセスが基本的に不要である。このため、例えば記録部２を動作させることなく給送トレイ１０内のシートＰを排出トレイ１４に排出でき、迅速に処理を実行できる。これにより、早くメモ用紙を入手したいユーザのニーズに最も合致した動作を実現できる。
【００３４】
また経路２０は、印刷ジョブの実行時にシートＰが通過する印刷経路であるとともに、排紙ジョブの実行時にシートＰが通過する排紙経路を兼ねるので、シートＰに画像記録する場合と同一の経路により、シートＰをメモ用紙として排出できる。このため、メモ用紙を排出する専用経路を設けた場合に比べて、装置構成をシンプルかつコンパクトにできる。
【００３５】
また、筐体３に操作部５を設けているので、ユーザが操作部５を操作することで、迅速にシートＰを排出できる。また、操作部５はメモ用紙排出キー５５を有しており、ユーザがメモ用紙排出キー５５を単一の操作で押下するだけでＣＰＵ６１へ排紙ジョブを実行要求できるので、簡単且つ迅速にシートＰを排出できる。
【００３６】
またＳ１７及びＳ１８において、ＣＰＵ６１がシートＰの搬送速度を印刷ジョブ時のシートＰの搬送速度よりも速くなるように搬送ローラ３１を制御することで、ユーザの求めに応じて、シートＰをより迅速に排出できる。またＳ１２において、ＣＰＵ６１がシートＰの給送速度を印刷ジョブ時の給送速度よりも速くなるように給送ローラ３０を制御することによっても、シートＰをより迅速に排出できる。
【００３７】
なお筐体３は、経路２０とは別に、メモ用紙排出経路２４を備えることもできる。すなわち筐体３は、印刷ジョブの実行時にシートＰが通過する印刷経路としての経路２０と、排紙ジョブの実行時にシートＰが通過し、経路２０と少なくとも一部が別経路に構成された排紙経路としてのメモ用紙排出経路２４とをそれぞれ備えることもできる。
【００３８】
具体的には図１に示すように、筐体３は、給送ローラ３０の後方から排出トレイ１４に向けて延びるメモ用紙排出経路２４を備えてもよい。また、図示しないが、給送ローラ３０の前方近傍に、前方斜め上方へ向かうスロープを配置する。そして、その上端を筐体３に枢支して下端を自重によりシートＰの上面に接するようにしておく。この場合、ＣＰＵ６１は、シート排紙処理のＳ１２において、給送ローラ３０を正転させてシートＰの後端が給送ローラ３０の近傍に達した時点で、給送ローラ３０を逆転させる。このようにすることで、シートＰはスロープを上ってメモ用紙排出経路２４を通じて給送トレイ１０内のシートＰを排出トレイ１４に排出することができる。
【００３９】
このようにメモ用紙としてシートＰを排出する専用の排紙経路を筐体３が備えることで、シートＰの排出をさらに好適化できる。例えば図１に示すように、記録部２を経ないで延びるメモ用紙排出経路２４を筐体３が備えるようにすれば、記録ヘッド１３やプラテン１１と接触しないので、メモ用紙の汚れを防止できる。また、給送トレイ１０から排出トレイ１４までを最短距離で結ぶメモ用紙排出経路２４を筐体３が備えるようにすれば、排紙ジョブの更なる高速化を実現することもできる。
【００４０】
また、Ｓ１２では、給送ローラ３０を最速で駆動し、Ｓ１６〜１８では、搬送ローラ３１を最速で駆動したが、本発明はこれに限定されない。すなわち、Ｓ１２における給送ローラ３０、またはＳ１６〜１８における搬送ローラ３１を、最速よりも遅い速度で駆動してもよい。
【００４１】
また、記録部２の方式は、記録ヘッド１３からインクを吐出してシートＰに画像記録するインクジェット方式に限定されず、例えば、トナーをシートＰに付着させて画像記録をする電子写真方式であってもよい。
【産業上の利用可能性】
【００４２】
本発明は、例えばインクジェット式プリンタや電子写真式プリンタ、感熱リボン方式のファクシミリやプリンタ等の画像記録装置に適用することができる。
【符号の説明】
【００４３】
１    画像記録装置
２    記録部
３    筐体
５    操作部
１０    給送トレイ
１４    排出トレイ
２０    経路
２４    排紙経路
３０    給送ローラ（給送部）
３３    第１搬送部（搬送部）
３６    第２搬送部（搬送部）
６０    制御部
Ｐ    被記録シート
【図１】
2016193531.tif 000003
【図２】
2016193531.tif 000004
【図３】
2016193531.tif 000005
【図４】
2016193531.tif 000006
【図５】
2016193531.tif 000007